(57)【要約】【課題】センサー笠木の脱落手段として、係止爪と係止溝の無理嵌めのようなセンサー笠木の通常の係止手段が万一外れたとしても、センサー笠木がバルコニーの腰壁等から脱落しない二重の脱落防止を施して、安全性をより向上させた防犯センサーを提供する。【解決手段】バルコニーの腰壁１等の頂部分の圧力センサー８を覆うセンサー笠木５が設けられ、このセンサー笠木５が荷重で押し下げられたときに、圧力センサー８を押圧するようになった防犯センサーであって、センサー笠木５は、複数本が直列状態で設けられて、隣り合うセンサー笠木５（Ａ，Ｂ）の端部同士を連結する連結カバー２０Ａが設けられ、この連結カバー２０Ａに、バルコニーの腰壁１等の頂部分の下部分に当接可能なストッパー２３が設けられている。【選択図】図６
2008169596.tif 000002
【特許請求の範囲】
【請求項１】
バルコニーの腰壁、フェンス、塀等の頂部分の圧力センサーを覆うセンサー笠木が設けられ、このセンサー笠木が荷重で押し下げられたときに、圧力センサーを押圧するようになった防犯センサーであって、
前記センサー笠木は、複数本が直列状態で設けられて、隣り合うセンサー笠木の端部同士を連結する連結カバーが設けられ、この連結カバーに、バルコニーの腰壁等の頂部分の下部分に当接可能なストッパーが設けられていることを特徴とする防犯センサー。
【請求項２】
前記バルコニーの腰壁等の頂部分に手摺りが取付けられ、この手摺りの上部の圧力センサーがセンサー笠木で覆われるとともに、前記ストッパーは、手摺りの下方を直交方向に横切って手摺りの下部に当接可能に配置され、このストッパーの両端部が連結カバーの両下端部に係止されていることを特徴とする請求項１に記載の防犯センサー。
【請求項３】
前記ストッパーの両端部は、連結カバーの両下端部に、連結カバーの長手方向から差し込んで係止されることを特徴とする請求項２に記載の防犯センサー。
【請求項４】
前記ストッパーに斜め向きの固定ねじが設けられ、この固定ねじは、ねじ込んだ時にセンサー笠木の下端部に突き当てられることを特徴とする請求項２または３に記載の防犯センサー。
【請求項５】
前記連結カバーの内面に、センサー笠木の上面に接触するパッキンが設けられていることを特徴とする請求項２〜４のいずれか一項に記載の防犯センサー。
【発明の詳細な説明】
【技術分野】
【０００１】
本発明は、バルコニーの腰壁、フェンス、塀等の頂部分に設ける防犯センサーに関する。
【背景技術】
【０００２】
従来、バルコニーの腰壁等の頂部分を乗り越えて不審者が侵入するのを防止する防犯センサーが知られている。これらは、主に赤外線センサー、超音波センサー、静電容量検知センサー、磁気センサーを用いて不審者の侵入を検知するもの、あるいはカメラ等の撮像的監視モニターで監視して侵入を検知するものである（例えば特許文献１，２を参照）。
【０００３】
このような防犯センサーにおいては、猫や鳥等の小動物が侵入しても不審者が侵入した場合とほぼ同様に検知して、不審者が侵入していないにもかかわらず不審者が侵入したと誤検知することが多く、検知精度を上げようとすると、構造が複雑化し部品点数が増加してコスト高になる。また、カメラ等を設ける場合には、バルコニーの腰壁等に対する収まりが悪くて一体感が無く、外観性を損ねる。
【０００４】
そこで、本出願人は、バルコニーの腰壁の頂部分に設けられた圧力センサーを覆うセンサー笠木を設けて、このセンサー笠木に手等を掛けて乗り越えようとする不審者の荷重（体重）によって、センサー笠木が押し下げられたときに、圧力センサーを押圧するようになった防犯センサーを先に提案した。
【０００５】
これによれば、防犯センサーとして赤外線センサー等を用いた場合のように、猫や鳥等の軽量な小動物の侵入を不審者の侵入と誤検知することが未然に防止できるとともに、構造が簡単化し部品点数が減少してコスト安になり、また、バルコニーの腰壁等の頂部分に設ける手摺りとの収まりが良くなって一体感が有り、外観性が向上するようになる。
【特許文献１】特開２００１−１５３９６４号公報
【特許文献２】特開２００２−１５３８０号公報
【発明の開示】
【発明が解決しようとする課題】
【０００６】
しかしながら、本出願人の提案にかかる防犯センサーにおいては、センサー笠木の脱落防止手段に関して改善すべき要望があった。
【０００７】
本発明は、前記要望に応えるためになされたもので、センサー笠木の脱落手段として、係止爪と係止溝の無理嵌めのようなセンサー笠木の通常の係止手段が万一外れたとしても、センサー笠木がバルコニーの腰壁等から脱落しない二重の脱落防止を施して、安全性をより向上させた防犯センサーを提供することを目的とするものである。
【課題を解決するための手段】
【０００８】
前記課題を解決するために、本発明は、バルコニーの腰壁、フェンス、塀等の頂部分の圧力センサーを覆うセンサー笠木が設けられ、このセンサー笠木が荷重で押し下げられたときに、圧力センサーを押圧するようになった防犯センサーであって、前記センサー笠木は、複数本が直列状態で設けられて、隣り合うセンサー笠木の端部同士を連結する連結カバーが設けられ、この連結カバーに、バルコニーの腰壁等の頂部分の下部分に当接可能なストッパーが設けられていることを特徴とする防犯センサーを提供するものである。
【０００９】
請求項２のように、前記バルコニーの腰壁等の頂部分に手摺りが取付けられ、この手摺りの上部の圧力センサーがセンサー笠木で覆われるとともに、前記ストッパーは、手摺りの下方を直交方向に横切って手摺りの下部に当接可能に配置され、このストッパーの両端部が連結カバーの両下端部に係止されている構成とすることができる。
【００１０】
請求項３のように、前記ストッパーの両端部は、連結カバーの両下端部に、連結カバーの長手方向から差し込んで係止される構成とすることが好ましい。
【００１１】
請求項４のように、前記ストッパーに斜め向きの固定ねじが設けられ、この固定ねじは、ねじ込んだ時にセンサー笠木の下端部に突き当てられる構成とすることが好ましい。
【００１２】
請求項５のように、前記連結カバーの内面に、センサー笠木の上面に接触するパッキンが設けられている構成とすることが好ましい。
【発明の効果】
【００１３】
本発明によれば、隣り合うセンサー笠木の端部同士を連結する連結カバーに、バルコニーの腰壁等の頂部分の下部分に当接可能なストッパーを設けたから、係止爪と係止溝の無理嵌めのような通常のセンサー笠木の係止手段が万一外れたとしても、連結カバーのストッパーがバルコニーの腰壁等の頂部分の下部分に当接することで、センサー笠木がバルコニーの腰壁等から脱落しなくなるので、二重の脱落防止で安全性がより向上するようになる。また、連結カバーを利用してストッパーを設けることができるので、コスト安になり、施工性も良好になる。
【００１４】
請求項２によれば、バルコニーの腰壁等の頂部分に手摺りが取付けられているタイプでは、ストッパーを手摺りの下方を直交方向に横切らせて手摺りの下部に当接可能に配置することができ、ストッパーの両端部を連結カバーの両下端部に係止することができるので、ストッパーを合理的に配置できるようになる。
【００１５】
請求項３によれば、ストッパーは、連結カバーの長手方向から差し込むことで、その両端部を連結カバーの両下端部に係止できるので、組付け性が良好になる。
【００１６】
請求項４によれば、ストッパーの固定ねじをねじ込んでセンサー笠木の下端部に突き当てることで、ストッパーを確実に連結カバーに固定することができるので、振動等によりストッパーがずれるのを防止できるとともに、固定ねじが斜め向きのために、ドライバー等によるねじ込み作業性が良好になる。
【００１７】
請求項５によれば、連結カバーとセンサー笠木との間にパッキンを設けたから、パッキンの弾力で連結カバーが長手方向にずれるのを防止できるとともに、センサー笠木の端部の隙間から水や塵がセンサー笠木内に侵入することを防止できるようになる。
【発明を実施するための最良の形態】
【００１８】
以下、本発明を実施するための最良の形態について、図面を参照しながら詳細に説明する。
【００１９】
図１はバルコニーの要部斜視図、図２は図１の要部拡大断面図であり、腰壁１の頂部分（上端部分）には、腰壁１に沿った手摺り２が設けられ、この手摺り２は、腰壁１の頂部分に立てられた複数個の支柱３でほぼ水平状態に支持されている。手摺り２は、例えばアルミニューム製であり、略横長楕円形の断面形状に形成されている。なお、手摺り２は、住宅の施工時に取付けられた既設のものであっても良い。
【００２０】
手摺り２には、センサー笠木５が上方から被せられている。センサー笠木５は、例えばアルミニューム製の押し出し型材であり、略逆Ｕ形の断面形状に形成されている。
【００２１】
手摺り２の上部には、図３（ａ）（ｂ）にも示すように、手摺り２よりもやや広い幅で長手方向に延在するベース材６が配置され、ベース材６は、幅方向の中央下面部分が手摺り２の上面に宛われて、ねじ等で手摺り２に固定されるようになる。ベース材６は、例えばアルミニューム製の押し出し型材である。
【００２２】
ベース材６の幅方向の中央上面部分には、長手方向に延在する凹部６ａが形成されるとともに、その両側には、長手方向に延在するフラット部６ｂがそれぞれ形成されている。凹部６ａには、ベース材６の長手方向に沿ってゴムやエラストマーのような軟質合成樹脂製のセンサー保持具７の下部が嵌め込まれ、このセンサー保持具７の両側の窪み７ａに凹部６ａの両側のフック６ｄが係合することで、センサー保持具７が凹部６ａに固定されるようになる。
【００２３】
センサー保持具７の上部には、ケーブル状の圧力センサー８を上方から嵌め込んだときに、その弾力で保持するための凹部７ｂが形成され、圧力センサー８は、ベース材６の長手方向に配置されたセンサー保持具７に跨って、一連に嵌め込まれている。
【００２４】
圧力センサー８は、表面に押圧力（荷重）が作用したときに、その部分が歪むことで、押圧力（荷重）に比例した電圧が誘起されるものである。
【００２５】
センサー保持具７で保持された圧力センサー８を押圧するセンサー押圧材９は、ゴムやエラストマーのような弾性体で成形されて、図４（ａ）〜（ｃ）に詳細に示すように、圧力センサー８に上方から対向する押圧基部９ａと、ベース材６のフラット部６ｂにねじ１８で固定される固定部９ｂと、この固定部９ｂと押圧基部９ａとを連結する可撓性の連結部９ｃとで形成されて、押圧基部９ａの押圧面には、圧力センサー８と直交する方向に延在する断面半円状の押圧突起９ｄが圧力センサー８の長手方向に一対形成されている。
【００２６】
このセンサー押圧材９は、図４（ｄ）のように、連結部９ｃを撓ませながら押圧基部９ａを指で持ち上げると、押圧基部９ａをセンサー保持具７の上方から退避させることができ（二点鎖線参照）、この状態で圧力センサー８をセンサー保持具７に嵌め込み、その後に押圧基部９ａから指を離すと、連結部９ｃの弾力で押圧基部９ａが圧力センサー８の上方に自動的に復帰するようになる。
【００２７】
連結部９ｃの弾力は、押圧基部９ａが圧力センサー８の上方に自動的に復帰する程度に設定されているので、押圧突起９ｄが圧力センサー８に接触してもその部分が歪んで電圧が誘起されるおそれはない。
【００２８】
ベース材６の両側のフラット部６ｂには、ベース材６の長手方向に所定の間隔を隔てて、センサー笠木５の長手方向に延在する板ばね材１１が取付けられている。この板ばね材１１は、両側のフラット部６ｂに左右一対で取付けても良いが、センサー押圧材９の取付け位置にほぼ対応させて、左右交互に千鳥状に、つまり、圧力センサー８に対していずれかの側にオフセットさせて取付けても良い。板ばね材１１は、フラットな両端部１１ａにねじ用孔が形成されて、このねじ用孔を利用して、バルコニーの腰壁１等の頂部分であるベース材６にねじ１７〔図４（ａ）参照〕で取付けるようにしている。
【００２９】
また、センサー笠木５の下面に当接する凸部１１ｃが長手方向の中間部に形成され、この凸部１１ｃの両側に凹部１１ｄがそれぞれ形成されて、この凹部１１ｄは、センサー笠木５の押し下げストローク分だけ、板ばね材１１のベース材６の上面（取付け面）よりも上方に浮かせている。
【００３０】
この板ばね材１１の付勢力によって、センサー笠木５が上方に持ち上げられるようになり、センサー笠木５が板ばね材１１の持ち上げ力（付勢力）に抗して、荷重で押し下げられたときに、センサー押圧材９の押圧基部９ａが下方に変位して圧力センサー８を押圧するようになる。
【００３１】
ベース材６の両端部には、下向きの係止爪６ｄが形成される一方、センサー笠木５の内面の両側には、ベース材６の係止爪６ｄに上方から無理嵌めするとともに、センサー笠木５の押し下げストロークを許容する係止溝５ａが形成されている。これにより、センサー笠木５は、ベース材６に対して、押し下げ・持ち上げ可能に取付けられることになる。
【００３２】
図１のように、腰壁１の端部分に位置するベース材６には、圧力センサー８の端部が接続される検知回路ブロック１３が取付けられるとともに、この付近の腰壁１の内面には、商用電源ＡＣが接続された報知ユニットボックス１４が取付けられて、検知回路ブロック１３の信号線１５が報知ユニットボックス１４に接続されている。
【００３３】
そして、センサー笠木５に手等を掛けて乗り越えようとする不審者の荷重（体重）によって、センサー笠木５が板ばね材１１の持ち上げ力（付勢力）に抗して押し下げられたときに、センサー押圧材９で圧力センサー８が押圧されることで、圧力センサー８には、押圧力（荷重）に比例した電圧が誘起され、この誘起電圧が検知回路ブロック１３で検知されて、例えば２０Ｋｇ以上の荷重（体重）であれば不審者が侵入したと判定して、報知ユニットボックス１４から警報音等を報知するようになる。
【００３４】
また、猫や鳥等の軽量な小動物がセンサー笠木５に乗りかかって、センサー笠木５が板ばね材１１の持ち上げ力（付勢力）に抗して押し下げられたとしても、圧力センサー８の誘起電圧が検知回路ブロック１３で検知されて、例えば数１０ｇから数Ｋｇの荷重（体重）であれば不審者が侵入していないと判定して、報知ユニットボックス１４から警報音等を報知しないようになる。
【００３５】
このように、防犯センサーとして赤外線センサー等を用いた場合のように、猫や鳥等の軽量な小動物の侵入を不審者の侵入と誤検知することが未然に防止できるとともに、構造が簡単化し部品点数が減少してコスト安になり、また、バルコニーの腰壁１等の頂部分に設ける手摺り２との収まりが良くなって一体感が有り、外観性が向上するようになる。
【００３６】
前記構成では、ベース材６の係止爪６ｄにセンサー笠木５の係止溝５ａを上方から無理嵌めすることで、センサー笠木５がベース材６から脱落しないように取付けており、このような係止爪６ｄと係止溝５ａの無理嵌めのような通常のセンサー笠木５の係止手段（第１の脱落防止手段）においては、係止爪６ｄと係止溝５ａとの経時劣化や振動等によって、係止が万一外れても、センサー笠木５が脱落しないように、第２の脱落防止手段によって、二重の脱落防止を図ることが要望される。
【００３７】
そこで、図５に示すように、複数本のセンサー笠木５（Ａ〜Ｃ）が直列状態で設けられている場合、隣り合うセンサー笠木５（Ａ〜Ｃ）の端部同士を連結する連結カバー２０Ａ，２０Ｂを設ける。連結カバー２０Ａは、いわゆる直線継手であり、連結カバー２０Ｂは、いわゆるコーナー継手である。なお、センサー笠木５（Ａ，Ｃ）の開放端部にはエンドキャップ２１が被せられている。
【００３８】
図６（ａ）（ｂ）に詳細に示すように、センサー笠木５（Ａ）とセンサー笠木５（Ｂ）の端部に跨って連結カバー２０Ａが上方から被せられている。連結カバー２０Ａは、例えばアルミニューム製の押し出し型材であり、略逆Ｕ形の断面形状に形成されている。
【００３９】
連結カバー２０Ａの両下端部には、内向きＵ字状に折り返した溝部２０ａがそれぞれ形成され、各溝部２０ａ内には、内向き突起２０ｂが形成されている。
【００４０】
図７（ａ）を参照すれば、横長長方形状の金属板製のストッパー２３が設けられ、このストッパー２３は、手摺り２の下方を直交方向に横切って手摺り２の下部に当接可能に配置されている。このストッパー２３の両端部には、連結カバー２０Ａの溝部２０ａに嵌め込んで係止される折り曲げ部２３ａがそれぞれ形成されている。この折り曲げ部２３ａは、図６（ｂ）のように、溝部２０ａ内の突起２０ｂに接触することで、溝部２０ａから不用意に抜けないようにフリクションが付与されている。
【００４１】
ストッパー２３の上面は、センサー笠木５（Ａ，Ｂ）の両下端部５ｂに当接するように設定されている。
【００４２】
前記のように構成すれば、隣り合うセンサー笠木５（Ａ，Ｂ）の端部同士を連結する連結カバー２０Ａに、手摺り２（バルコニーの腰壁１等の頂部分の下部分に相当）に当接可能なストッパー２３を設けたから、係止爪６ｄと係止溝５ａの無理嵌めのような通常のセンサー笠木５（Ａ，Ｂ）の係止手段（第１の脱落防止手段）が万一外れたとしても、連結カバー２０Ａのストッパー２３が手摺り２の下部分〔図６（ａ）の符号ａ参照〕に当接することで、センサー笠木５（Ａ，Ｂ）が手摺り２から脱落しなくなるので、第２の脱落防止手段であるストッパー２３による二重の脱落防止で安全性がより向上するようになる。
【００４３】
また、連結カバー２０Ａを利用してストッパー２３を設けることができるので、コスト安になり、施工性も良好になる。
【００４４】
さらに、バルコニーの腰壁１等の頂部分に手摺り２が取付けられている本実施形態のようなタイプでは、ストッパー２３を手摺り２の下方を直交方向に横切らせて手摺り２の下部に当接可能に配置することができ、ストッパー２３の両端部である折り曲げ部２３ａを連結カバー２０Ａの両下端部である溝部２０ａに嵌め込んで係止することができるので、ストッパー２３を合理的に配置できるようになる。
【００４５】
また、ストッパー２３の折り曲げ部２３ａは、連結カバー２０Ａの溝部２０ａに長手方向（図５の符号ｂ参照）から差し込むことで、溝部２０ａに嵌め込んで係止できるので、組付け性が良好になる。
【００４６】
図７（ａ）（ｂ）および図８に示すように、ストッパー２３の一側の端部側に下方へ斜め向きの切り起こし部２３ｂを形成して、この切り起こし部２３ｂに形成した雌ねじ部２３ｃに、固定ねじ２４を斜め上向きにねじ込んで（図８の矢印ｃ参照）、センサー笠木５（Ａ，Ｂ）の少なくとも一方の下端部５ｂに突き当てるようにする。
【００４７】
このように、ストッパー２３の固定ねじ２４をねじ込んでセンサー笠木５（Ａ，Ｂ）の下端部５ｂに突き当てることで、ストッパー２３を確実に連結カバー２０Ａに固定することができるので、振動等によりストッパー２３がずれるのを防止できるとともに、固定ねじ２４が斜め向きのために、ドライバー等によるねじ込み作業性が良好になる。
【００４８】
図９（ａ）に示すように、連結カバー２０Ａの内面に、センサー笠木５（Ａ，Ｂ）の上面に接触するパッキン２５を設けると、図９（ｂ）に略画的に示すように、パッキン２５の弾力で連結カバー２０Ａが長手方向にずれるのを防止できるとともに、センサー笠木５（Ａ，Ｂ）の端部の隙間Ｔから水や塵がセンサー笠木５（Ａ，Ｂ）内に侵入することを防止できるようになる。
【００４９】
前記実施形態では、連結カバー（直線継手）２０Ａにストッパー２３を設けたものであったが、連結カバー（コーナー継手）２０Ｂにも同様のストッパー２３を設けることができ、また、エンドキャップ２１にも同様のストッパー２３を設けることができる。
【００５０】
前記実施形態は、バルコニーの腰壁１の頂部分にセンサー笠木５が設けられたものであったが、フェンスや塀等の頂部分にセンサー笠木５が設けられたものであっても良い。
【図面の簡単な説明】
【００５１】
【図１】本発明の実施形態に係る手摺りを備えたバルコニーの要部斜視図である。
【図２】図１の要部拡大断面図である。
【図３】センサー笠木を取り外した手摺りであり、（ａ）は斜視図、（ｂ）は（ａ）の要部拡大斜視図である。
【図４】（ａ）は板ばね材とセンサー押圧材の斜視図、（ｂ）はセンサー押圧材を上面側から見た斜視図、（ｃ）はセンサー押圧材を下面側から見た斜視図、（ｄ）はセンサー押圧材の側面図である。
【図５】本発明の実施形態に係る連結カバーで連結したセンサー笠木の斜視図である。
【図６】（ａ）は図５の連結カバー部分の拡大断面図、（ｂ）は（ａ）の要部拡大図である。
【図７】ストッパーであり、（ａ）は斜視図、（ｂ）は固定ねじ部分の組み付け斜視図である。
【図８】ストッパーの固定ねじ部分の組み付け断面図である。
【図９】（ａ）はパッキンを取付けた連結カバーの内面側斜視図、（ｂ）はセンサー笠木と連結カバーとパッキンとの関係を示す略画的断面図である。
【符号の説明】
【００５２】
１      腰壁
２      手摺り
５（Ａ，Ｂ，Ｃ）  センサー笠木
５ａ    係止溝
５ｂ    下端部
６      ベース材
６ｄ    係止爪
７      センサー保持具
８      圧力センサー
９      センサー押圧材
１１    板ばね材
２０Ａ，２０Ｂ  連結カバー
２０ａ  溝部
２１    エンドキャップ
２３    ストッパー
２３ａ  折り曲げ部
２３ｂ  切り起こし部
２３ｃ  雌ねじ部
２４    固定ねじ
２５    パッキン
【図１】
2008169596.tif 000003
【図２】
2008169596.tif 000004
【図３】
2008169596.tif 000005
【図４】
2008169596.tif 000006
【図５】
2008169596.tif 000007
【図６】
2008169596.tif 000008
【図７】
2008169596.tif 000009
【図８】
2008169596.tif 000010
【図９】
2008169596.tif 000011